(57)【要約】【課題】　ソーラーパネル等の構造物を葺上げられた瓦の流れ方向及び桁行き方向に対応して簡易に設置する。【解決手段】　葺上げられた屋根瓦上に配設されるソーラーパネル等の構造物Ｐの枠体Ｘ，Ｙを取付けるための取付装置であって、構造物が配置される部位に葺上げられる屋根瓦１に対し、該屋根瓦の瓦本体上面に支持膨部２を形成し、この支持膨部に対して上方から被嵌して定置される脚片部７ａ，７ｂと、該脚片部に対し瓦の流れ方向に延在する前記枠体を嵌合支持する受承部８ａ，８ｂとを一体的に形成し、この受承部には瓦の流れ方向に対する前記枠体の受承位置を調整可能となす調節長孔１１ａ，１１ｂを形成したものである。【選択図】　図１
2004027843.tif 000002
【特許請求の範囲】
【請求項１】
葺上げられた屋根瓦上に配設されるソーラーパネル等の構造物の枠体を取付けるための取付装置であって、前記構造物が配置される部位に葺上げられる屋根瓦に対し、該屋根瓦の瓦本体上面に支持膨部を形成し、この支持膨部に対して上方から被嵌して定置される脚片部と、該脚片部に対し瓦の流れ方向に延在する前記枠体を嵌合支持する受承部とを一体的に形成し、この受承部には瓦の流れ方向に対する前記枠体の受承位置を調整可能となす調節長孔を形成したことを特徴とする屋根上に載置される構造物の取付装置。
【請求項２】
請求項１記載の取付装置であって、脚片部には前記瓦本体の支持膨部に対して瓦の桁行方向への取付位置を調節可能となす調節長孔を形成したことを特徴とする屋根上に載置される構造物の取付装置。
【発明の詳細な説明】
【技術分野】
【０００１】
　本発明は、葺上げられた屋根瓦上に配備される例えば、太陽光発電用のソーラーパネルや太陽熱を利用する温水器等の構造物（本明細書においては、単に、構造物ともいう。）を取付け固定するための取付装置に関するものである。
【背景技術】
【０００２】
　さて、葺上げられた屋根瓦上に対して構造物としてのソーラーパネルや温水器等を設置するに際し、屋根の施工とともに該ソーラーパネル等を設置する場合には、まず、ソーラーパネル等を先に屋根構造体の垂木等に設置し、該ソーラーパネル等の回りを水切板金等により処理したのち、瓦やトタン等の屋根部材を葺き上げる手段が採用されており、また、屋根部材が葺き上げられた屋根上に後からソーラーパネル等を設置する場合にはすでに葺き上げられた屋根部材をすべて取り除き、トタン等の屋根部材に葺き換えながらソーラーパネル等を設置する手段が採用されていた。
　しかしながら、上記の手段ではその施工が煩雑となり、経済的にも好ましいものとはいえず、近時、ソーラーパネル等を設置するための専用の瓦が案出され、同瓦を他の屋根瓦とともにその設置個所に対応する部位に葺上げ、そして、該葺上げられたソーラーパネル等の設置用の専用の瓦に対して該ソーラーパネル等の枠体を例えばボルト、ナットによる締付け手段により取付けて設置する手段が採用されていた。上記手段はいずれも一般的に行われている手段のため、とくに、特許文献としては未調査である。
【発明の開示】
【発明が解決しようとする課題】
【０００３】
　しかしながら、上記した専用の瓦にソーラーパネル等の枠体を取付けて行なう手段にあって、通常枠体は、屋根上に方形状に枠組み、すなわち、葺上げられた瓦に対してその流れ方向に平行状態でかつ該流れ方向と直交する方向の桁行き方向に平行した方形状に枠組みされるものであるが、同状態で設置することがきわめて困難であり、それぞれの平行状態を確保して枠組みするために、いちいち瓦の流れ方向及び桁行き方向にすみ線を張ったり、付すかしてそのすみ線を基準として枠体を定置し、該枠体に対してその専用の瓦に対する取付部位に対応するための加工、例えば、締付け手段のボルト挿通用の孔明け作業等を一か所、一か所すべて屋根上の現場にてその都度合わせて加工する（現合加工）により行なっていたため、その作業が著しく面倒であり、相当の手間を要し、作業性の悪化は避けられないものであった。
　そこで、本発明は、上記した問題点に鑑み、ソーラーパネル等の構造物の設置を葺上げられた瓦の流れ方向及び桁行き方向に対応してきわめて簡易になし得る屋根上に載置される構造物の取付装置を提供することを目的としたものである。
【課題を解決するための手段】
【０００４】
　上記した目的を達成するために、請求項１の発明は、葺上げられた屋根瓦上に配設されるソーラーパネル等の構造物の枠体を取付けるための取付装置であって、前記構造物が配置される部位に葺上げられる屋根瓦に対し、該屋根瓦の瓦本体上面に支持膨部を形成し、この支持膨部に対して上方から被嵌して定置される脚片部と、該脚片部に対し瓦の流れ方向に延在する前記枠体を嵌合支持する受承部とを一体的に形成し、この受承部には瓦の流れ方向に対する前記枠体の受承位置を調整可能となす調節長孔を形成したことを特徴とするものである。
【０００５】
　また、請求項２の発明は、請求項１記載の取付装置において、脚片部には前記瓦本体の支持膨部に対して瓦の桁行方向への取付位置を調節可能となす調節長孔を形成したことを特徴とするものである。
【発明の効果】
【０００６】
　請求項１記載の発明によれば、構造物が配置される部位に葺上げられる屋根瓦の支持膨部に対して脚片部により定置される受承部に、瓦の流れ方向に対する枠体の受承位置を調整可能となす調節長孔を形成したことにより、該受承部に嵌合支持される枠体に対し、予め設定された部位に支持手段としての例えば、ボルト挿通用の締付け孔を全て統一して加工することができ、その設置に際して、前記受承部の調節長孔によって瓦の流れ方向に対する各枠体の設置位置を簡単に調節して整合させることができる。
　したがって、ソーラーパネルや温水器等の構造体としての枠体に対し、予め設定された部位に支持手段としての例えば、ボルト挿通用の締付け孔を全て統一して加工することができ、その設置に際して、前記受承部の調節長孔によって瓦の流れ方向に対する各枠体の設置位置を簡単に調節して整合させることができ、その作業性を大幅に向上することができる。
　このことは、ソーラーパネルや温水器等の構造体自体の設置作業を簡易になし得、その作業性を良化向上することができる。
【０００７】
　請求項２記載の発明によれば、脚片部には前記瓦本体の支持膨部に対して瓦の桁行方向方向への取付位置を調節可能となす調節長孔を形成したことにより、屋根瓦の支持膨部に対して脚片部自体を瓦の桁行き方向に対する設置位置を簡単に調節することができ、各枠体の設置位置を整合し得る上記の作用効果に加えて該枠体を瓦の流れ方向に対して平行状態で設置位置させることが簡単にできるものである。
【発明の実施するための形態】
【０００８】
　以下、本発明を具体化した実施の形態を図にしたがって詳述する。
　屋根上に載置されるソーラーパネルや温水器等の構造物Ｐの設置専用の平板瓦１（以下、単に、専用の平板瓦１という）は、図１に示すように、家屋等の屋根構造体に対して葺き重ねられる通常の平板瓦Ｗとほぼ同様の形状に形成されるとともに、その瓦本体１Ａ上面にはほぼ中央部に矩形状の支持膨部２が一体的に膨出形成されており、この支持膨部２の両側部（前後部）には瓦の桁行き方向に沿って平行状態で起立片３ａ，３ｂが所定の高さ一体的に垂立状に形成され、この起立片３ａ，３ｂのほぼ中央部にはボルト等を挿通する取付孔４，４がそれぞれ整合位置して貫設されている。なお、この専用の平板瓦１は、軽量金属等で形成することが望ましい。
【０００９】
　そして、屋根上に載置される構造物Ｐの取付装置５は、図１に示すように、前記支持膨部２の矩形状の大きさとほぼ等しい大きさの偏平状に形成された装置本体５Ａの前後縁（瓦の桁行き方向に沿う側縁）には対の脚片部６ａ，６ｂが前記起立片３ａ，３ｂの外側間の間隔とほぼ等しい間隔をおいて一体状に垂下され、また、該脚片部６ａ，６ｂが垂下された前後縁と直交する左右縁（瓦の流れ方向に沿う側縁）には対の受承部７ａ，７ｂが所定の間隔、例えば、後述するソーラーパネルや温水器等の構造物の縦方向の枠体Ｘ（瓦の流れ方向に沿う枠体）の幅と等しい間隔をおいて一体状に垂立されている。なお、対の脚片部６ａ，６ｂ及び対の受承部７ａ，７ｂは装置本体５Ａに対して一体状に形成するようにそれぞれ切り起こし状に成形されるのが望ましい。
【００１０】
　しかして、装置本体５Ａはその下面の対の脚片部６ａ，６ｂが前記専用の平板瓦１の支持膨部２の起立片３ａ，３ｂに跨がって被嵌され、その上面及び対の受承部７ａ，７ｂによって形成された間隔部位が該縦方向の枠体Ｘ（瓦の流れ方向に沿う枠体）の嵌合支持部として形成されている。
【００１１】
　前記装置本体５Ａにおける脚片部６ａ，６ｂには前記支持膨部２の取付孔４，４に対向する調節長孔８ａ，８ｂが水平方向（瓦の桁行き方向に沿った方向）に所定の長さ貫設され、同じく、受承部７ａ，７ｂには後述するソーラーパネルや温水器等の縦方向の枠体Ｘ（瓦の流れ方向に沿う枠体）に貫設された取付孔Ｘａに対向する調節長孔９ａ，９ｂが水平方向（瓦の流れ方向に沿った方向）に所定の長さ貫設されている。
【００１２】
　なお、ソーラーパネルや温水器等の構造物Ｐの枠体にあって、縦方向の枠体Ｘ（瓦の流れ方向に沿う枠体）に対する横方向の枠体Ｙ（瓦の桁行き方向に沿う枠体）の取付けに使用される取付装置１０は、前記取付装置５とほぼ同様に形成されていて、図４に示すように、該縦方向の枠体Ｘの幅形状の大きさとほぼ等しい大きさの偏平状に形成された装置本体１０Ａの左右縁（瓦の流れ方向に沿う側縁）には対の脚片部１１ａ，１１ｂが前記縦方向の枠体Ｘの幅とほぼ等しい間隔をおいて一体状に垂下され、該脚片部１１ａ，１１ｂが垂下された左右縁と直交する前後縁（瓦の桁行き方向に沿う側縁）には対の受承部１２ａ，１２ｂが横方向の枠体Ｙの幅と等しい間隔をおいて一体状に垂立されている。また、この対の脚片部１１ａ，１１ｂ及び対の受承部１２ａ，１２ｂは装置本体１０Ａに対して一体状に形成するようにそれぞれ切り起こし状に成形されるのが望ましい。
【００１３】
　しかして、装置本体１０Ａはその下面の対の脚片部１１ａ，１１ｂが前記縦方向の枠体Ｘの幅方向に跨がって被嵌され、その上面及び該対の受承部１２ａ，１２ｂによって形成された間隔部位が横方向の枠体Ｙの嵌合支持部として形成されている。
【００１４】
　前記装置本体１０Ａにおける脚片部１１ａ，１１ｂには前記縦方向の枠体Ｘに貫設された取付孔Ｘｂに対向する調節長孔１３ａ，１３ｂが水平方向（瓦の流れ方向に沿った方向）に所定の長さ貫設され、同じく、受承部１２ａ，１２ｂには横方向の枠体Ｙに貫設された取付孔Ｙａに対向する取付孔１４が複数個（図では１個の場合を示す）貫設されている。
【００１５】
　本実施例の取付装置５は上述のように構成されたものであり、図２に示すように、屋根構造体である野地板等の下地材Ｈ上に対し、構造物Ｐの設置専用の平板瓦１を該構造物Ｐを設置する部位に他の平板瓦Ｗ１と同様にして順次葺き上げられるものである。すなわち、支持膨部２を備えた平板瓦１を他の平板瓦Ｗ１とともにその縦方向の枠体Ｘが位置する所定の箇所に位置させて葺き上げる。
【００１６】
　そして、図１に示すように、専用の平板瓦１の支持膨部２に対し、装置本体５Ａを定置固止する。すなわち、装置本体５Ａにおけるその下面の対の脚片部６ａ，６ｂを前記専用の平板瓦１の支持膨部２の起立片３ａ，３ｂに跨がって被嵌するとともに、その調節長孔８ａ，８ｂと支持膨部２の取付孔４，４とを合致させてボルト１５Ａ及びナット１６Ａによる締付け手段により締着するものである。
【００１７】
　ついで、構造物Ｐの縦方向の枠体Ｘを装置本体５Ａにおけるその上面及び対の受承部７ａ，７ｂによって形成された間隔部位に該縦方向の枠体Ｘ（瓦の流れ方向に沿う枠体）を嵌合するとともに、その調節長孔９ａ，９ｂと該縦方向の枠体Ｘの取付孔Ｘａとを合致させてボルト１５Ｂ及びナット１６Ｂによる締付け手段により締着するものである。
【００１８】
　さて、上述のようにして、取付装置の装置本体５Ａを専用の平板瓦１の支持膨部２に対して締着し、かつ該装置本体５Ａに対して縦方向の枠体Ｘを締着するものであるが、該縦方向の枠体Ｘを葺上げられた瓦の流れ方向と平行状態に調節する場合は、前記専用の平板瓦１の支持膨部２に対し、装置本体５Ａを定置する作業に際し、支持膨部２の起立片３ａ，３ｂに対して対の脚片部６ａ，６ｂの被嵌状態をその瓦の桁行き方向に沿って位置調節する（位置をずらす）ことによって簡単に対応することができ、その位置調節後の状態を調節長孔８ａ，８ｂを利用することによって簡単に縦方向の枠体Ｘの取付孔Ｘａとを合致させてボルト１５Ａ及びナット１６Ａにより締着することができる。
【００１９】
　また、該装置本体５Ａに対する縦方向の枠体Ｘの瓦の流れ方向の位置設定にあっても、対の受承部７ａ，７ｂに対し縦方向の枠体Ｘを瓦の流れ方向に沿って位置調節する（位置をずらす）ことによって各縦方向の枠体Ｘをその先端が整合した位置に簡単に対応することができ、その位置調節後の状態を調節長孔９ａ，９ｂを利用することによって簡単に縦方向の枠体Ｘの取付孔Ｘａとを合致させてボルト１５Ｂ及びナット１６Ｂにより締着することができる。これによって、該縦方向の枠体Ｘに対しては予め取付孔Ｘａを形成しておくことが可能である。
【００２０】
　次に、上述のようにして瓦の流れ方向と平行状態に設置された縦方向の枠体Ｘに対し横方向の枠体Ｙを取付ける場合には、図４に示すように、前述とは別の取付装置１０を利用して行なうものである。すなわち、装置本体１０Ａの下面の対の脚片部１１ａ，１１ｂを前記縦方向の枠体Ｘの幅方向に跨がって被嵌するとともに、その調節長孔１３ａ，１３ｂと縦方向の枠体Ｘの取付孔Ｘｂとを合致させてボルト１５Ｃ及びナット１６Ｃによる締付け手段により締着するものである。
【００２１】
　ついで、構造物Ｐの横方向の枠体Ｙを装置本体１０Ａにおけるその上面及び対の受承部１２ａ，１２ｂによって形成された間隔部位に該横方向の枠体Ｙ（瓦の流れ方向に沿う枠体）を嵌合するとともに、その取付孔１４ａと該横方向の枠体Ｙの取付孔Ｙａとを合致させてボルト１５Ｄ及びナット１６Ｄによる締付け手段により締着するものである。
【００２２】
　そして、上述のようにして、縦方向の枠体Ｘに対し横方向の枠体Ｙを締着するものであるが、該横方向の枠体Ｙを葺上げられた瓦の桁行き方向と平行状態に調節する場合は、前記縦方向の枠体Ｘに対して装置本体１０Ａを定置する作業に際し、対の脚片部１１ａ，１１ｂの被嵌状態をその瓦の流れ方向に沿って位置調節する（位置をずらす）ことによって簡単に対応することができ、その位置調節後の状態を調節長孔１３ａ，１３ｂを利用することによって簡単に縦方向の枠体Ｘの取付孔Ｘｂとを合致させてボルト１５Ｃ及びナット１６Ｃにより締着することができる。
【００２３】
　上記のようにして葺上げられた屋根瓦に対し縦横の枠体Ｘ，Ｙを瓦の流れ方向及び桁行き方向にそれぞれ平行状態で設置することができ、そして、該縦横の枠体Ｘ，Ｙに対して構造物Ｐとしてのソーラーパネルや温水器等を設置することができる。
【００２４】
　なお、本実施の態様における取付装置５にあっては、葺上げられた屋根瓦自体の斜面に係わりなく、縦横の枠体Ｘ，Ｙを屋根構造体である野地板等の下地材Ｈの上面と平行に設置するために、図３に示すように、装置本体５Ａにおける縦方向の枠体Ｘを受承する部位を瓦の頭部側が尻部側に対して低くなるように設定し、別の装置本体１０Ａにおける横方向の枠体Ｙを受承する部位を平行状態に設定して前記平行状態の設置を可能とするものである。
【００２５】
　なお、本実施例の支持膨部２の起立片３ａ，３ｂは、図示のものに限定するものではなく、該起立片を片側だけとした構成及び起立片を排除した断面門形状の構成でもよい。
　また、平板瓦１の場合について説明したが、これに限定するものではなく、Ｓ瓦、平板瓦、さらには、瓦以外のカラーベスト等の屋根部材にも簡単に応用することができる。
【図面の簡単な説明】
【００２６】
【図１】本発明の実施の態様を示す分解斜視図である。
【図２】同じく、葺上げられた屋根瓦に枠体を設置した状態を示す平面図である。
【図３】同じく、葺上げられた屋根瓦に枠体を設置した状態を示す側断面図である。
【図４】同じく、縦枠体と横枠体の定置関係を示す分解斜視図である。
【符号の説明】
【００２７】
　　１　平板瓦
　１Ａ　瓦本体
　　２　支持膨部
　　５　取付装置
　５Ａ　装置本体
　７ａ，７ｂ　脚片部
　８ａ，８ｂ　受承部
　１１ａ，１１ｂ　調節長孔
　１３ａ，１３ａ　調節長孔
　１５Ａ　ボルト
　１６Ａ　ナット
【図１】
2004027843.tif 000003
【図２】
2004027843.tif 000004
【図３】
2004027843.tif 000005
【図４】
2004027843.tif 000006
【手続補正書】
【提出日】平成15年11月18日(2003.11.18)
【手続補正１】
【補正対象書類名】特許請求の範囲
【補正対象項目名】全文
【補正方法】変更
【補正の内容】
【特許請求の範囲】
【請求項１】
葺上げられた屋根瓦上に配設されるソーラーパネル等の構造物の枠体を取付けるための取付装置であって、矩形状の扁平な本体部と、該本体部の相対向する一方側縁に形成されかつ前記構造物が配置される部位に葺上げられる屋根瓦に対して定置される一対の脚片部と、前記本体部の相対向する他方側縁に形成されかつ前記屋根瓦上に延在される前記枠体を支持する一対の起立状の受承部とを一体的に形成したことを特徴とする屋根上に載置される構造物の取付装置。
【手続補正２】
【補正対象書類名】明細書
【補正対象項目名】０００４
【補正方法】変更
【補正の内容】
【０００４】
　上記した目的を達成するために、請求項１の発明は、葺上げられた屋根瓦上に配設されるソーラーパネル等の構造物の枠体を取付けるための取付装置であって、矩形状の扁平な本体部と、該本体部の相対向する一方側縁に形成されかつ前記構造物が配置される部位に葺上げられる屋根瓦に対して定置される一対の脚片部と、前記本体部の相対向する他方側縁に形成されかつ前記屋根瓦上に延在される前記枠体を支持する一対の起立状の受承部とを一体的に形成ことを特徴とするものである。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
　請求項１記載の発明によれば、構造物が配置される部位に葺上げられる屋根瓦に対して脚片部により定置される受承部に、該屋根瓦上の枠体を簡易に設置することができる。
このことは、ソーラーパネルや温水器等の構造体自体の設置作業を簡易になし得、その作業性を良化向上することができる。
【手続補正５】
【補正対象書類名】明細書
【補正対象項目名】０００７
【補正方法】削除
【補正の内容】